(57)【要約】  【課題】供給路内で成長した気泡による噴射不良を低減して、良好な印字状態を長く保つことができるインクジェットヘッドを提供すること。  【解決手段】アクチュエータ１４のマニホールド１７に対向する端面に、複数の噴射チャンネル１３の配列方向にインク液を流すことができるインク流路５３を形成した。供給路１６内で気泡が成長しても、インク液は、その成長した気泡に阻害されることなく、インク流路を介して、噴射チャンネル内に良好に導入される。【選択図】        図６
2005349844.tif 000002
【特許請求の範囲】
【請求項１】
インク液をノズルから噴射させるための複数の噴射チャンネルが、複数列に形成されたアクチュエータと、前記噴射チャンネルの入口端側において前記アクチュエータに接合されるものであって、各前記噴射チャンネルにインク液を供給するために、複数の各前記噴射チャンネルの配列方向に延び、かつ前記噴射チャンネルの各入口端に対して共通的に開口する供給路が形成されたマニホールドとを備える、インクジェットヘッドにおいて、
前記アクチュエータの前記マニホールドに対向する端面に、複数の前記噴射チャンネルの配列方向にインク液を流すことができる、インク流路を形成したことを特徴とする、インクジェットヘッド。
【請求項２】
前記インク流路は、前記アクチュエータと前記マニホールドとの間において、前記配列方向に沿って延びて前記供給路に連通し、かつ、前記噴射チャンネルに前記配列方向と直交する方向から隣接して連通していることを特徴とする、請求項１に記載のインクジェットヘッド。
【請求項３】
前記アクチュエータにおける前記噴射チャンネルの入口端側の端面において、配列方向に延びる各前記噴射チャンネル間の端面であって、前記噴射チャンネルの入口端部を形成する端面に、前記噴射チャンネルの開口縁に向かって、前記噴射チャンネルの流路断面積が広くなるような傾斜面を形成することにより、前記インク流路を形成していることを特徴とする、請求項２に記載のインクジェットヘッド。
【請求項４】
前記供給路は、複数列の前記噴射チャンネルの各々に対応して共通的に開口する分岐部分を有していることを特徴とする、請求項１ないし３のいずれかに記載のインクジェトヘッド。
【請求項５】
前記複数の噴射チャンネルは２列に形成され、前記供給路は、２つの分岐部分を有していることを特徴とする、請求項４に記載のインクジェットヘッド。
【請求項６】
前記インク流路の内容積は、前記マニホールドによって形成される内容積よりも小さいことを特徴とする、請求項１ないし５のいずれかに記載のインクジェットヘッド。
【発明の詳細な説明】
【技術分野】
【０００１】
本発明は、インク液をノズルから噴射して記録用紙などに所要の記録を行うインクジェット式記録装置のインクジェットヘッドに関する。
【背景技術】
【０００２】
従来より、比較的構成が簡単で、高速印字、高品質印字が容易な記録装置として、インクジェット方式の記録装置がよく知られている。この種のインクジェット記録装置のインクジェットヘッドは、たとえば、インク液を噴射する複数のノズル孔が形成されるノズルプレートと、圧電セラミック材料などから形成され、各ノズル孔に連通される複数の噴射チャンネルが複数列に形成されるアクチュエータと、噴射チャンネルの入口端側においてアクチュエータに接合され、インク供給源からのインク液を各噴射チャンネルに供給するために、複数の各噴射チャンネルの配列方向に延び、かつ噴射チャンネルの各入口端に対して開口する供給路が形成されたマニホールドとを備えている。
【０００３】
そして、このインクジェットヘッドは、たとえば、ノズルプレートを下、マニホールドを上にして、約４５度傾斜させて配置し、アクチュエータの変形により噴射チャンネルの容積を変化させ、その容積減少時に噴射チャンネルのインク液をノズルプレートに形成されたノズル孔から斜め下向きに噴射して、印刷用紙などに印字し、一方、容積増大時には、インク供給源から供給路を介してアクチュエータの噴射チャンネル内にインク液を導入するようにしている。
【０００４】
また、インクジェットヘッドは、その内部に気泡が発生または残留したり、噴射面上にインクの液滴が付着することにより、噴射不良を起こすことがある。そのため、インクジェットヘッド内の気泡をインク液とともに吸引除去し、良好な噴射状態に回復させるためのパージ装置が、インクジェット記録装置に備えられている。
次に、従来例としてのインクジェットヘッドを、図をもってより具体的に説明する。図７は、アクチュエータ１に、複数の噴射チャンネル２が、所定間隔を隔てて２列に形成されているインクジェットヘッド３を示す要部断面図である。噴射チャンネル２の出口端４側には、ノズルプレート５が接合されており、各噴射チャンネル２の出口端４は、ノズルプレート５に形成されたノズル孔６に連通している。また、噴射チャンネル２の入口端７側には、マニホールド８が接合されており、各噴射チャンネル２の入口端７は、複数の各噴射チャンネル２の配列方向に延び、各噴射チャンネル２の入口端７に対して開口する供給路９に連通している。そして、インク供給源からのインク液は、供給路９を介して、各入口端７から各噴射チャンネル２内に導入され、ノズル孔６から噴射される。
【特許文献１】特開平９−５７９５９号公報
【発明の開示】
【発明が解決しようとする課題】
【０００５】
しかるに、インクジェットヘッド内での気泡の発生または残留は、おもに供給路内において生じる。よって、図７に示す構成において、供給路９内に発生または残留した気泡は、浮力等により供給路９の上壁側に滞留する。図７の点線で示す気泡１０はこの状態を示すもので、この気泡１０は、時間の経過とともに成長し、実線で示す気泡１１のような状態となる。そうすると、この気泡１１の外表面は、噴射チャンネル２の入口端７に近接するため、インク流路が狭くなり、噴射にともなうインク液の流速が速くなる。その結果、気泡１１の外表面に作用する負圧が大きくなって、気泡１１は、噴射チャンネル２により引き込まれやすい状態を生じる。噴射チャンネル２内に気泡１１が入ると、噴出不良を起こし、いわゆる印字抜けを生じる。
【０００６】
一方、このような噴出不良が生じた場合は、前述したようにパージ装置を用いて、インクジェットヘッド３内の気泡をパージするが、気泡１０の成長によりインク液の供給が阻害されるに至る期間が短いと、頻繁にパージを実施しなければず、操作が煩雑となる。また、パージによって、浪費されるインク液量が増大しすると、印字に供されるインク液量がその分減少するという不具合もある。
【０００７】
本発明の目的は、上記した問題点を解決するためになされたものであり、供給路内において、発生し成長した気泡による噴射不良を低減して、良好な印字状態を長く保つことができるインクジェットヘッドを提供するものである。
【課題を解決するための手段】
【０００８】
上記の目的を達成するため、請求項１に記載の発明は、インク液をノズルから噴射させるための複数の噴射チャンネルが、複数列に形成されたアクチュエータと、前記噴射チャンネルの入口端側において前記アクチュエータに接合されるものであって、各前記噴射チャンネルにインク液を供給するために、複数の各前記噴射チャンネルの配列方向に延び、かつ前記噴射チャンネルの各入口端に対して共通的に開口する供給路が形成されたマニホールドとを備える、インクジェットヘッドにおいて、前記アクチュエータの前記マニホールドに対向する端面に、複数の前記噴射チャンネルの配列方向にインク液を流すことができる、インク流路を形成したことを特徴としている。
【０００９】
このような構成によると、供給路内で発生または残留した気泡が、供給路の上壁側において滞留し成長しても、その成長した気泡と噴射チャンネルとの間の、アクチュエータのマニホールドに対向する端面には、複数の噴射チャンネルの配列方向にインク液を流すことができるインク流路が形成されているので、インク液は、成長した気泡に阻害されずに、このインク流路を介して、噴射チャンネル内に良好に導入されることができる。また、気泡の成長が進んだとしても、インク流路が形成されている場合は、噴射にともない生じるインク液の流路が確保され、その流速が速くなることがなく、気泡の外表面に作用する負圧が小さくなるため、気泡が噴射チャンネルに引き込まれにくくなり、良好な噴射状態を長く維持することができる。したがって、頻繁にパージ操作を行う必要はなく、操作性を向上させることができる。
【００１０】
すなわち、一般に、パージ操作は、印字作業を行う前に、前回パージ操作を行った時から、所定以上の期間が経過した場合に行われるが、この所定の期間は、マニホールド内で成長した気泡が、噴射に影響を及ぼす期間を想定して決定される。よって、それによって定める所定の期間が短ければ、結果としてパージ操作が頻繁に行われ、印字に費やされるインク液量が減少することとなるが、本発明では、この所定の期間を長くすることができるので、印字に費やされるインク液量を、このような理由により減少させることはない。また、印字作業を行う使用者に対しても、この所定の期間が短ければ、印字前にパージ操作が実行される機会が増えることから、印字出力が完了するまでに、多くの時間を費やすことになるが、本発明においては、印字前のパージ操作を頻繁に行わずに済むため、印字出力が完了するまでに、多くの時間を費やすことはなく、よって、良好な操作性を達成することができる。
【００１１】
また、請求項２に記載の発明は、請求項１に記載の発明において、前記インク流路は、前記アクチュエータと前記マニホールドとの間において、前記配列方向に沿って延びて前記供給路に連通し、かつ、前記噴射チャンネルに前記配列方向と直交する方向から隣接して連通していることを特徴としている。
このような構成によると、供給路内で発生または残留した気泡が、供給路の上壁側において滞留し成長しても、インク液は、成長した気泡に阻害されずに、このインク流路を介して、噴射チャンネル内に良好に導入されることができる。
【００１２】
また、請求項３に記載の発明は、請求項２に記載の発明において、前記アクチュエータにおける前記噴射チャンネルの入口端側の端面において、配列方向に延びる各前記噴射チャンネル間の端面であって、前記噴射チャンネルの入口端部を形成する端面に、前記噴射チャンネルの開口縁に向かって、前記噴射チャンネルの流路断面積が広くなるような傾斜面を形成することにより、インク流路を形成していることを特徴としている。
【００１３】
このような構成によると、インク流路は、各噴射チャンネル間の端面における噴射チャンネルの入口端部を形成する端面に、傾斜面を形成するだけで形成しているので、簡易な構成でもって、供給路内において発生し成長した気泡による噴射不良を低減でき、良好な印字状態を長く保つことができる。
また、請求項４に記載の発明は、請求項１ないし３に記載の発明において、前記供給路が、複数列の前記噴射チャンネルの各々に対応して共通的に開口する分岐部分を有していることを特徴としている。
【００１４】
このような分岐部分を形成することにより、供給路の容積をより小さくでき、インクジェットヘッドの小型化を一層図れるとともに、供給路内に流入するインク液を、分岐部分から各列ごとの各噴射チャンネルに円滑に供給することができる。
また、請求項５に記載の発明は、請求項４に記載の発明において、前記複数の噴射チャンネルが２列に形成され、前記供給路が、２つの分岐部分を有していることを特徴としている。
【００１５】
複数の噴射チャンネルを２列で形成すると、アクチュエータにおける各噴射チャンネルを最も有効に配列でき、かつアクチュエータの形成が容易となり、また、マニホールドにおける供給路の形成も容易となる。そのため、優れたインクジェットヘッドを効率よく製造でき、かつインクジェットヘッドの一層小型化を図ることができる。
また、請求項６に記載の発明は、請求項１ないし５のいずれかに記載の発明において、前記インク流路の内容積は、前記マニホールドによって形成される内容積よりも小さいことを特徴としている。
【００１６】
このような構成によると、マニホールドによって形成される内容積に比べて、アクチュエータ側に形成されるインク流路の内容積が小さいため、供給路全体の内容積の増加はわずかである。そのため、パージ装置によって吸引するインク液が増加する量もわずかであり、パージ装置を含むメンテナンス系への負担を少なくすることができる。
【発明の効果】
【００１７】
請求項１に記載の発明によれば、頻繁にパージ操作を行う必要はなく、操作性を向上させることができる。
請求項２に記載の発明によれば、供給路内で発生または残留した気泡が成長しても、その成長した気泡に阻害されずに、インク液をインク流路を介して噴射チャンネル内に良好に導入することができる。
【００１８】
請求項３に記載の発明によれば、簡易な構成により、供給路内において発生し成長した気泡による噴射不良を低減でき、良好な印字状態を長く保つことができる。
請求項４に記載の発明によれば、インクジェットヘッドの一層の小型化を図れるとともに、供給路内に流入するインク液を分岐部分から各列ごとの各噴射チャンネルに円滑に供給することができる。
【００１９】
請求項５に記載の発明によれば、優れたインクジェットヘッドを効率よく製造でき、かつインクジェットヘッドの一層の小型化を図ることができる。
請求項６に記載の発明によれば、パージ装置を含むメンテナンス系への負担を少なくすることができる。
【発明を実施するための最良の形態】
【００２０】
図１は、本発明の一実施形態に係るインクジェットヘッドを備えたインクジェットプリンタの斜視図である。
カラーインクジェットプリンタ２１は、シアン、マゼンタ、イエロー、ブラックの４色のカラーインクを被印刷体としての印刷用紙２２上に印刷して印字を行うインクジェット式のインクジェットヘッド２３を備え、このインクジェットヘッド２３は、ヘッドユニット２４として一体に設けられており、このヘッドユニット２４はインクジェットヘッド２３が、印刷用紙２２に対して斜め下向きにインク液を噴射するようにキャリッジ２６に支持されており、このヘッドユニット２４とともに、インクジェットヘッド２３に４色のインク液を供給するインク供給源としてのインクカートリッジ２５が、キャリッジ２６に脱着自在に搭載されている。
【００２１】
そして、インクジェットヘッド２３の前面に対向して、その往復移動方向に平行にプラテンローラ２７が回転自在に設けられており、インクジェットヘッド２３とプラテンローラ２７とで印字部を構成している。キャリッジ２６は、該キャリッジ２６の下部に設けられたキャリッジ軸支持部２８を介して、インクジェットヘッド２３の往復移動方向に延びるキャリッジ軸２９およびガイド板５４に支持され、印字時に直線的に往復運動可能となし、かつ、プーリ３０および３１間に架けられたベルト３２に連結され、プーリ３０が図示しないモータにより回転駆動されることにより、直線往復移動されるようになっている。
【００２２】
印刷用紙２２は、インクジェットプリンタ２１の後部上方に設けられた図示しない給紙カセットから給紙され、インクジェットヘッド２３と、矢印３３方向に回転駆動されるプラテンローラ２７との間に導入され、印字後の印刷用紙２２は、矢印３４方向に排出される。なお、図１においては、これらの印刷用紙の給紙機構の図示を省略している。
また、プラテンローラ２７の側方で、インクジェットヘッド２３のリセット状態位置の前方に対向させてパージ装置３５が設けられている。インクジェット式のインクジェットヘッド２３は、その内部に気泡が発生または残留したり、噴射面上にインクの液滴が付着することにより、噴射不良を起こすことがある。そのため、インクジェットヘッド２３内の気泡をインク液とともに吸引除去し、良好な噴射状態に回復させるためにパージ装置３５がある。パージ装置３５は、インクジェットヘッド２３のリセット状態位置における前方対向位置に設けられたキャップ３６でインクジェットヘッド２３を覆うことができるようになっており、キャップ３６でインクジェットヘッド２３が覆われている時に、インクジェットヘッド２３の内部に溜まる気泡などを含んだ不良インクをカム３７により駆動されるポンプ３８によって吸引し、インクジェットヘッド２３を回復させる。吸引された不良インクは貯留部３９に送られる。
【００２３】
図２は、ヘッドユニット２４の要部断面図である。
図２において、インクジェットヘッド２３は、インク液を噴射する複数のノズル孔６７が形成されるノズルプレート１２と、圧電セラミック材料などから形成され、各ノズル孔６７に、その出口端６８において連通される複数の噴射チャンネル１３が複数列に形成されるアクチュエータ１４と、噴射チャンネル１３の入口端１５側においてアクチュエータ１４に接合され、各噴射チャンネル１３にインク液を供給するために、複数の各噴射チャンネル１３の配列方向に延び、かつ噴射チャンネル１３の各入口端１５に対して共通的に開口する供給路１６が形成されたマニホールド１７とを備えている。
【００２４】
そして、このインクジェットヘッド２３は、上記したように、ノズルプレート１２を下、マニホールド１７を上にして、約４５度傾斜させて配置し、アクチュエータ１４の変形により噴射チャンネル１３の容積を変化させ、その容積減少時に噴射チャンネル１３のインク液をノズルプレート１２に形成されたノズル孔６７から斜め下向きに噴射して印刷用紙２２に印字し、一方、容積増大時には、インクカートリッジ２５から供給路１６を介してアクチュエータ１４の噴射チャンネル１３内にインク液を導入するようにしている。なお、インクジェットヘッド２３は、アクチュエータ１４を、圧電セラミック素子に代えて発熱素子を用いたサーマルヘッドタイプまたはその他公知のタイプにしてもよい。
【００２５】
そして、ヘッドユニット２４の縦壁１８に貫通孔１９を形成して、マニホールド１７の流入口２０側をこの貫通孔１９に挿入するとともに、マニホールド１７とヘッドユニット２４の縦壁１８とを接着して、インクジェットヘッド２３をヘッドユニット２４に取り付けている。また、マニホールド１７の流入口２０側と貫通孔１９との間の隙間には、シール部材４０が嵌め込まれており、このシール部材４０と流入口２０との開口部との間には、第１フィルタ４１が介装されている。この第１フィルタ４１は、インクカートリッジ２５をシール部材４０に接続する際に、ごみや気泡などがインクジェットヘッド２３の供給路１６内に入り込むのを防止するものである。
【００２６】
また、ヘッドユニット２４に内装されたインクカートリッジ２５のインク供給口４２には、シール部材４０と接続するためのアダプタ４３が嵌め込まれている。インク供給口４２とアダプタ４３との間には、第２フィルタ４４が介挿されている。この第２フィルタ４４は、インクカートリッジ２５をインクジェットヘッド２３に接続する際に、インク供給口４２からインク液がこぼれ落ちるのを、この第２フィルタ４４でのインク液の表面張力により防止するものである。
【００２７】
そして、インクカートリッジ２５のインク供給口４２とマニホールド１７の流入口２０とを、アダプタ４３とシール部材４０とを嵌め合うことにより、脱着自在に接続している。そして、インクカートリッジ２５内のインク液は、インク供給口４２からアダプタ４３およびシール部材４０を介して流入口２０に導入される。なお、４５は、インクジェットヘッド２３を覆うヘッドカバーである。
【００２８】
図３は、図２におけるＡ−Ａ線断面図であり、図４は、図２におけるＢ−Ｂ線断面図である。また、図５は、図３および図４におけるＣ−Ｃ線断面図であり、本発明の一実施形態に係るインクジェットヘッドについて説明する前に、その参考となる形態について説明する。
図３に示すように、アクチュエータ１４は、圧電セラミック素子を備えた１対の基板４６および４７と、１対の基板４６および４７の間に挟まれるプレート４８を備えており、基板４６および４７には、それぞれ独立した複数の溝４９および５０が形成されている。そして、この基板４６および４７をプレート４８の両側面６５および６６に接合することにより、外側壁およびと側壁とが溝４９および５０で形成され、内側壁がプレート４８の側面６５および６６で形成された複数の噴射チャンネル１３が形成される。形成された複数の噴射チャンネル１３は、プレート４８を挟んで対向状に２列に並んでいる。
【００２９】
また、図４に示すように、マニホールド１７の供給路１６は、流入口２０からの流入位置から二股に分岐され、２列に形成された複数の噴射チャンネル１３の各々の列に対応して共通的に開口する２つの分岐部分５１および５２を有している。そして、流入口２０から供給路１６内に流入したインク液は、それぞれ分かれて分岐部分５１および５２に流入し、各分岐部分５１および５２を流れながら、各列に形成された複数の噴射チャンネル１３内に導入される。
【００３０】
そして、図５に示すように、アクチュエータ１４における噴射チャンネル１３の入口端１５側の端面であって、各噴射チャンネル１３の外側に位置される基板４６および４７の端面５５および５６と、マニホールド１７における供給路１６の開口側端面であって、分岐部分５１および５２の外側の端面５８および５９とを接合することによって、インクジェトヘッド２３を構成している。
【００３１】
このような構成において、図５に示す参考となる形態では、配列方向に延びる各噴射チャンネル１３間に位置されるプレート４８の端面５７を、基板４６および４７の端面５５および５６に対して、ノズルプレート１２側に位置させて、分岐部分５８および５９の内側の端面６０と、プレート４８の端面５７との間に隙間を形成している。そして、かかる隙間でもって、複数の噴射チャンネル１３の配列方向、およびその噴射チャンネル１３の列間にわたってすなわち噴射チャンネル列と直角方向にもインク液を流すことができるインク流路５３を形成している。
【００３２】
このようなインク流路５３を形成することで、供給路１６内で発生または残留した気泡が、浮力等により供給路１６の上壁側において滞留（図５の点線で示す気泡６１の状態）して、時間の経過とともに成長して、図５に実線で示す気泡６２のような状態となるに至っても、インク液は、成長した気泡６２に阻害されずに、インク流路５３内を噴射チャンネル１３の配列方向およびそれと直角方向に流れ、そして、順次噴射チャンネル１３内に良好に導入されることができる。また、気泡６１の成長が進んだとしても、インク流路５３が形成されている場合は、噴射にともない生じるインク液の流路が確保され、その流速が速くなることがなく、成長した気泡６２の外表面に作用する負圧が小さくなるため、気泡６２が噴射チャンネル１３に引き込まれにくくなり、良好な噴射状態を長く維持することができる。したがって、頻繁にパージ操作を行う必要はなく、操作性を向上させることができる。
【００３３】
すなわち、一般に、パージ操作は、印字作業を行う前に、前回パージ操作を行った時から、所定以上の期間が経過した場合に行われるが、この所定の期間は、マニホールド１７内で成長した気泡が、噴射に影響を及ぼす期間を想定して決定される。よって、それによって定める所定の期間が短ければ、結果としてパージ操作が頻繁に行われ、印字に費やされるインク液量が減少することとなるが、本実施形態では、この所定の期間を長くすることができるので、印字に費やされるインク液量を、このような理由により減少させることはない。また、印字作業を行う使用者に対しても、この所定の期間が短ければ、印字前にパージ操作が実行される機会が増えることから、印字出力が完了するまでに、多くの時間を費やすことになるが、本実施形態においては、印字前のパージ操作を頻繁に行わずに済むため、印字出力が完了するまでに、多くの時間を費やすことはなく、よって、良好な操作性を達成することができる。
【００３４】
しかも、本実施形態では、マニホールド１７によって形成される内容積に比べて、アクチュエータ１４側に形成されるインク流路５３の内容積は、十分に小さいため、供給路１６全体の内容積の増加は、わずかである。そのため、パージ装置３５によって吸引するインク液が増加する量もわずかであり、パージ装置３５を含むメンテナンス系への負担を少なくすることができる。
【００３５】
また、インク流路５３は、プレート４８の端面５７を、基板４６および４７の端面５５および５６に対して、ノズルプレート１２側に位置させるだけで形成されているので、簡易な構成によりインク流路５３が形成され、供給路１６内において発生し成長した気泡６２による噴射不良を低減している。
また、アクチュエータ１４には複数の噴射チャンネルが２列に形成され、供給路１６には、噴射チャンネル１３の各列に対応した２つの分岐部分５１および５が形成されている。そのため、アクチュエータ１４における各噴射チャンネル１３は最も有効に配列され、かつアクチュエータ１４の形成が容易となっており、一方、マニホールド１７も、２つの分岐部分５１および５２を有することで、供給路１６の容積をより小さくできて、インクジェットヘッド２３の小型化を図れるとともに、供給路１６内に流入するインク液を、分岐部分５１から各列ごとの各噴射チャンネル１３に円滑に供給している。とりわけ、分岐部分が２つ形成されているので、マニホールド１７における供給路１６の形成が容易であり、優れたインクジェットヘッド２３を効率よく製造でき、かつインクジェットヘッド２３の一層の小型化が図られている。
【００３６】
図６は、本発明の一実施形態に係るインクジェットヘッドの断面図である。なお、この図６において、上述した図５に示す各部に相当する部分には、図５の場合と同一の参照符号を付して示す。
図６に示すインクジェットヘッド２３においては、アクチュエータ１４における噴射チャンネル１３の入口端１５側の端面において、各噴射チャンネル１３間のプレート４８の端面５７であって、噴射チャンネル１３の入口端部を形成する端面に、噴射チャンネル１３の開口縁に向かって、噴射チャンネル１３の流路断面積が広くなるような傾斜面６３および６４を形成することにより、インク流路５３を形成している。
【００３７】
詳述すると、図６に示すように、アクチュエータ１４における噴射チャンネル１３の入口端１５側の端面において、プレート４８の端面５７は、基板４６および４７の端面５５および５６と面一となっている。そして、プレート４８の両側面６５および６６における端面５７側に、噴射チャンネル１３の列の全長にわたり、プレート４８の端面５７に向かって内側に傾斜する面取りを行うことにより、傾斜面６３および６４を形成している。そして、基板４６および４７の端面５５および５６と分岐部分５１および５２の外側の端面５８および５９とが接合されるのと同様に、プレート４８の端面５７を、分岐部分５１および５２の内側の端面６０に接合している。インク流路５３は、傾斜面６３および６４により、広げられた各噴射チャンネル１３の入口端１５内方に形成される。このような構成によると、噴射チャンネル１３の入口端部を形成する端面に、傾斜面６３および６４を形成するだけで、言い換えると、プレート４８の両側面６５および６６の端縁部に面取りを行うだけで、インク流路５３を形成できるので、よって簡易な構成によりインク流路５３を形成でき、図５に示す形態と同様に、供給路１６内において発生し成長した気泡６２による噴射不良を低減できる。
【００３８】
なお、インクジェットヘッド２３は、ノズルを水平横向きまたは垂直下向きに置くこともできる。水平横向きの場合、流入口２０を上にして供給路１６をその下に配置することが望ましい。いずれの場合も、ほぼ同様な作用効果を達成することができる。
【図面の簡単な説明】
【００３９】
【図１】本発明の一実施形態に係るインクジェットヘッドを備えたインクジェットプリンタの斜視図である。
【図２】図１に示すインクジェットプリンタに備えられるヘッドユニットの要部断面図である。
【図３】図２におけるＡ−Ａ線の要部断面図である。
【図４】図２におけるＢ−Ｂ線の断面図である。
【図５】図３におけるＣ−Ｃ線の要部断面図であり、本発明の一実施形態を説明するうえで参考となる形態を示している。
【図６】図３におけるＣ−Ｃ線の要部断面図であり、本発明の一実施形態に係るインクジェットヘッドの断面図である。
【図７】従来のインクジェットヘッドの断面図である。
【符号の説明】
【００４０】
１３  噴射チャンネル
１４  アクチュエータ
１５  入口端
１６  供給路
１７  マニホールド
２３  インクジェットヘッド
２５  インクカートリッジ
５３  インク流路
５７  プレートの端面
５５，５６  基板の端面
６３，６４  傾斜面
５１，５２  分岐部分
【図１】
2005349844.tif 000003
【図２】
2005349844.tif 000004
【図３】
2005349844.tif 000005
【図４】
2005349844.tif 000006
【図５】
2005349844.tif 000007
【図６】
2005349844.tif 000008
【図７】
2005349844.tif 000009